(57)【要約】【課題】複数の調光装置が配置される空間全体に充分な開放感を選択的に付与する。【解決手段】複数の調光装置１０Ａ，１０Ｂの各々は、偏光板および当該偏光板を透過した光の偏光状態を制御する光制御シートを含む２つの調光パネルを備える。一方の調光装置１０Ａおよび他方の調光装置１０Ｂにおける直線Ｈ上で互い向き合う偏光板３３，３３のそれぞれを、直線Ｈに沿って当該直線Ｈに垂直な面上に投影した際、互い向き合う偏光板３３，３３の一方の吸収軸と他方の吸収軸とのなす角度が４５度未満となるように、一方の調光装置１０と他方の調光装置１０Ａとが配置される。【選択図】図６
2017102296.tif 000002
【特許請求の範囲】
【請求項１】
偏光板および当該偏光板を透過した光の偏光状態を制御する光制御シートを含む２つの調光パネルを備え、前記２つの調光パネルのうちの一方の調光パネルに対して他方の調光パネルが少なくとも部分的に対面する位置に配置され且つ前記一方の調光パネルに対して前記他方の調光パネルが相対移動可能であり、前記一方の調光パネルの前記光制御シートと前記他方の調光パネルの前記光制御シートとは互いに向き合い、前記一方の調光パネルおよび前記他方の調光パネルの相対位置に応じて前記一方の調光パネルおよび前記他方の調光パネルを透過する光の透過率を変更可能な複数の調光装置を準備する工程と、
前記複数の調光装置を互いに離間する状態に配置する工程と、
を備え、
前記複数の調光装置のうちの隣接する２つの調光装置でなる少なくとも一つの組み合わせにおける一方の調光装置の２つの前記調光パネルと、他方の調光装置の２つの前記調光パネルとが、前記一方の調光装置の２つの前記調光パネルおよび前記他方の調光装置の２つの前記調光パネルの各々を横切る直線によって結ばれるように、前記一方の調光装置と前記他方の調光装置とを配置し、且つ、
前記一方の調光装置および前記他方の調光装置における前記直線上で互い向き合う前記偏光板のそれぞれを、前記直線に沿って当該直線に垂直な面上に投影した際、互い向き合う前記偏光板の一方の吸収軸と他方の吸収軸とのなす角度が４５度未満となるように、前記一方の調光装置と前記他方の調光装置とを配置する、調光装置の設置方法。
【請求項２】
前記一方の吸収軸と前記他方の吸収軸とのなす角度が５度未満となるように、前記一方の調光装置と前記他方の調光装置とを配置する、請求項１に記載の調光装置の設置方法。
【請求項３】
前記調光装置には、２つの前記偏光板のうちの少なくとも一方の吸収軸の方向を示す表示が設けられる、請求項１又は２に記載の調光装置の設置方法。
【請求項４】
偏光板および当該偏光板を透過した光の偏光状態を制御する光制御シートを含む２つの調光パネルを備え、前記２つの調光パネルのうちの一方の調光パネルに対して他方の調光パネルが少なくとも部分的に対面する位置に配置され且つ前記一方の調光パネルに対して前記他方の調光パネルが相対移動可能であり、前記一方の調光パネルの前記光制御シートと前記他方の調光パネルの前記光制御シートとは互いに向き合い、前記一方の調光パネルおよび前記他方の調光パネルの相対位置に応じて前記一方の調光パネルおよび前記他方の調光パネルを透過する光の透過率を変更可能な複数の調光装置を備え、
前記複数の調光装置は、互いに離間する状態に配置され、
前記複数の調光装置のうちの隣接する２つの調光装置でなる少なくとも一つの組み合わせにおける一方の調光装置の２つの前記調光パネルと、他方の調光装置の２つの前記調光パネルとが、前記一方の調光装置の２つの前記調光パネルおよび前記他方の調光装置の２つの前記調光パネルの各々を横切る直線によって結ばれるように、前記一方の調光装置と前記他方の調光装置とが配置され、且つ、
前記一方の調光装置および前記他方の調光装置における前記直線上で互い向き合う前記偏光板のそれぞれを、前記直線に沿って当該直線に垂直な面上に投影した際、互い向き合う前記偏光板の一方の吸収軸と他方の吸収軸とのなす角度が４５度未満となるように、前記一方の調光装置と前記他方の調光装置とが配置されている、調光システム。
【請求項５】
前記一方の吸収軸と前記他方の吸収軸とのなす角度が５度未満となるように、前記一方の調光装置と前記他方の調光装置とが配置されている、請求項４に記載の調光システム。
【請求項６】
前記調光装置には、２つの前記偏光板のうちの少なくとも一方の吸収軸の方向を示す表示が設けられている、請求項４又は５に記載の調光装置の設置方法。
【発明の詳細な説明】
【技術分野】
【０００１】
本発明は、複数の調光装置によって空間を区画する際に用いて好適な調光装置の設置方法及び調光システムに関する。
【背景技術】
【０００２】
液晶、エレクトロクロミック、微粒子分極配向、フォトクロミック、サーモクロミック等を利用した調光装置が従来から知られている。このような調光装置では、電圧印加により、光の透過率を連続的または段階的に調整可能である点において有用である。しかしながら、電力消費量が高く、電気配線が複雑であり、且つ耐久性を確保し難いという点で問題がある。
【０００３】
一方、特許文献１には、二つの面状材を一方向に相対移動させることによって光の透過率を変更する調光装置が開示されている。この調光装置では、仮に電気的な駆動により二つの面状材を相対移動させたとしても、電力消費量および電気配線の複雑化を抑制でき、且つ構造が簡易的であることで耐久性にも優れている。また、二つの面状材を相対移動させる調光装置においては、各面状材が、特定の直線偏光成分のみを透過させる偏光板と、偏光板を透過する光の偏光状態を制御する光制御シートと、を含む構成も知られている。
【０００４】
このような調光装置は、例えば、外光を選択的に透過および遮光するブラインドやパーテンションとして利用することができる。この際、二つの面状材を相対移動させる調光装置は、比較的安価に作製され得るため、例えば導入コストを抑制できる点において有用である。
【先行技術文献】
【特許文献】
【０００５】
【特許文献１】特開平９−３１０５６７号公報
【発明の概要】
【発明が解決しようとする課題】
【０００６】
ところで、複数の調光装置を用いて空間を区画する際、調光装置が配置される空間全体の開放感が調光装置によって損なわれることは望ましくない。
【０００７】
本発明は、上記実情を考慮してなされたものであって、複数の調光装置が配置される空間全体に充分な開放感を選択的に付与できる調光装置の設置方法及び調光システムを提供することを目的とする。
【課題を解決するための手段】
【０００８】
本発明に係る調光装置の設置方法は、偏光板および当該偏光板を透過した光の偏光状態を制御する光制御シートを含む２つの調光パネルを備え、前記２つの調光パネルのうちの一方の調光パネルに対して他方の調光パネルが少なくとも部分的に対面する位置に配置され且つ前記一方の調光パネルに対して前記他方の調光パネルが相対移動可能であり、前記一方の調光パネルの前記光制御シートと前記他方の調光パネルの前記光制御シートとは互いに向き合い、前記一方の調光パネルおよび前記他方の調光パネルの相対位置に応じて前記一方の調光パネルおよび前記他方の調光パネルを透過する光の透過率を変更可能な複数の調光装置を準備する工程と、前記複数の調光装置を互いに離間する状態に配置する工程と、を備え、前記複数の調光装置のうちの隣接する２つの調光装置でなる少なくとも一つの組み合わせにおける一方の調光装置の２つの前記調光パネルと、他方の調光装置の２つの前記調光パネルとが、前記一方の調光装置の２つの前記調光パネルおよび前記他方の調光装置の２つの前記調光パネルの各々を横切る直線によって結ばれるように、前記一方の調光装置と前記他方の調光装置とを配置し、且つ、前記一方の調光装置および前記他方の調光装置における前記直線上で互い向き合う前記偏光板のそれぞれを、前記直線に沿って当該直線に垂直な面上に投影した際、互い向き合う前記偏光板の一方の吸収軸と他方の吸収軸とのなす角度が４５度未満となるように、前記一方の調光装置と前記他方の調光装置とを配置する、設置方法である。
【０００９】
前記配置する工程では、前記一方の吸収軸と前記他方の吸収軸とのなす角度が５度未満となるように、前記一方の調光装置と前記他方の調光装置とを配置する、ことが好ましい。
【００１０】
前記調光装置には、２つの前記偏光板のうちの少なくとも一方の吸収軸の方向を示す表示が設けられる、ことが好ましい。
【００１１】
また、本発明に係る調光システムは、偏光板および当該偏光板を透過した光の偏光状態を制御する光制御シートを含む２つの調光パネルを備え、前記２つの調光パネルのうちの一方の調光パネルに対して他方の調光パネルが少なくとも部分的に対面する位置に配置され且つ前記一方の調光パネルに対して前記他方の調光パネルが相対移動可能であり、前記一方の調光パネルの前記光制御シートと前記他方の調光パネルの前記光制御シートとは互いに向き合い、前記一方の調光パネルおよび前記他方の調光パネルの相対位置に応じて前記一方の調光パネルおよび前記他方の調光パネルを透過する光の透過率を変更可能な複数の調光装置を備え、前記複数の調光装置は、互いに離間する状態に配置され、前記複数の調光装置のうちの隣接する２つの調光装置でなる少なくとも一つの組み合わせにおける一方の調光装置の２つの前記調光パネルと、他方の調光装置の２つの前記調光パネルとが、前記一方の調光装置の２つの前記調光パネルおよび前記他方の調光装置の２つの前記調光パネルの各々を横切る直線によって結ばれるように、前記一方の調光装置と前記他方の調光装置とが配置され、且つ、前記一方の調光装置および前記他方の調光装置における前記直線上で互い向き合う前記偏光板のそれぞれを、前記直線に沿って当該直線に垂直な面上に投影した際、互い向き合う前記偏光板の一方の吸収軸と他方の吸収軸とのなす角度が４５度未満となるように、前記一方の調光装置と前記他方の調光装置とが配置されている、システムである。
【００１２】
本発明に係る調光システムでは、前記一方の吸収軸と前記他方の吸収軸とのなす角度が５度未満となるように、前記一方の調光装置と前記他方の調光装置とが配置されている、ことが好ましい。
【００１３】
前記調光装置には、２つの前記偏光板のうちの少なくとも一方の吸収軸の方向を示す表示が設けられている、ことが好ましい。
【発明の効果】
【００１４】
本発明によれば、複数の調光装置が配置される空間全体に充分な開放感を選択的に付与できる。
【図面の簡単な説明】
【００１５】
【図１】本発明の一実施の形態に係る調光システムの概略図である。
【図２】（Ａ）は、図１に示す調光システムを構成する調光装置の横断面図であり、（Ｂ）は調光装置の正面図の一部である。
【図３】図２に示す調光装置において光の透過率を変更する様子を説明する図である。
【図４】図２に示す調光装置において、図３に示す状態から光の透過率を変更する様子を説明する図である。
【図５】図１に示す調光システムの作用を説明する図である。
【図６】図１に示す調光システムの作用を説明する図である。
【図７】本発明の一実施の形態に係る調光システムの変形例を説明する図である。
【図８】本発明の一実施の形態に係る調光システムの変形例を説明する図である。
【図９】本発明の一実施の形態に係る調光システムの変形例を説明する図である。
【発明を実施するための形態】
【００１６】
以下、図面を参照しながら本発明の一実施の形態について説明する。なお、本件明細書に添付する図面においては、図示と理解のしやすさの便宜上、適宜縮尺および縦横の寸法比等を、実物のそれらから変更し誇張してある。
【００１７】
また、本明細書において、「パネル」、「板」、「シート」、「フィルム」等の用語は、呼称の違いのみに基づいて、互いから区別されるものではない。例えば、「パネル」は、板、シート、フィルムと呼ばれ得るような部材も含む概念であり、したがって、一例として、「調光パネル」は、「調光板」、「調光シート」、「調光フィルム」と呼ばれる部材と呼称の違いのみにおいて区別され得ない。また、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１８】
図１は本発明の一実施の形態に係る調光システム１を上方から見た当該調光システム１の概略図を示している。図１に示す調光システム１は、複数（本例では２つ）の調光装置１０Ａ，１０Ｂを備え、これら調光装置１０Ａ，１０Ｂによって、空間Ｓを複数の領域Ａ１〜Ａ３に区画している。図１においては、空間Ｓが建造物内部の空間であり、調光装置１０Ａ，１０Ｂが建造物内部の床面に立設されるパーテーションとして機能し、調光装置１０Ａ，１０Ｂによって区画される領域Ａ１〜Ａ３が会議室である例を示している。以下、調光システム１の各部の詳細について説明する。
【００１９】
図２（Ａ）は調光装置１０Ａの横断面図であり、同図に示すように、調光装置１０Ａは、第１偏光板２３および当該第１偏光板２３を透過した光の偏光状態を制御する第１光制御シート２５等を含む第１調光パネル２０と、第２偏光板３３および当該第２偏光板３３を透過した光の偏光状態を制御する第２光制御シート３５等を含む第２調光パネル３０と、を備え、第２調光パネル３０は、第１調光パネル２０に対して少なくとも部分的に対面する位置に配置され且つ第１調光パネル２０に対して相対移動可能となっている。
【００２０】
第１調光パネル２０のパネル面と第２調光パネル３０のパネル面とは、互いに平行となっており、第１光制御シート２５と第２光制御シート３５とは互いに向き合っている。これら第１調光パネル２０と第２調光パネル３０は、相対位置に依存して、領域Ａ１から領域Ａ２、および、領域Ａ２から領域Ａ１に透過する可視光波長域（波長３８０ｎｍ〜７８０ｎｍ）の光の光量を調整するように構成されている。
【００２１】
なお、本明細書において、「パネル面（板面、シート面、フィルム面）」とは、対象となるパネル状（板状、シート状、フィルム状）の部材を全体的かつ大局的に見た場合において、対象となるパネル状の部材の平面方向と一致する面のことを指す。また、パネル状の部材に対して用いる「法線方向」とは、対象となるパネル状の部材のパネル面への法線方向を意味している。図示された一実施の形態において、第１調光パネル２０の法線方向および第２調光パネル３０の法線方向は、互いに平行となっている。
【００２２】
本実施の形態においては、第２調光パネル３０が、第１調光パネル２０のパネル面に沿った第１方向ｄａに沿って第１調光パネル２０に対して相対移動可能になっている。図２（Ａ）に示された例において、第１方向ｄａは、水平方向に平行となっている。この第２調光パネル３０の第１調光パネル２０に対する相対移動は、手動によってなされてもよいし、電気的な駆動によってなされてもよい。
【００２３】
第１調光パネル２０および第２調光パネル３０は、この例において、平面視で矩形形状に形成されている。第１調光パネル２０は、第１光制御シート２５、接合層２４、第１偏光板２３、接合層２２および第１透明支持板２１を、第２調光パネル３０に近接する側からこの順番にて含んでいる。一方、第２調光パネル３０は、第２光制御シート３５、接合層３４、第２偏光板３３、接合層３２および第２透明支持板３１を、第１調光制御パネル２０に近接する側からこの順番にて含んでいる。
【００２４】
第１透明支持板２１および第２透明支持板３１は、光制御シート２５，３５および偏光板２３，３３を支持するための支持体として機能する部材である。第１透明支持板２１および第２透明支持板３１としては、例えば可視光に対して優れた透過性を有したガラス、ポリカーボネートやアクリル等の透明な樹脂等を用いることができる。一例として、第１透明支持板２１および第２透明支持板３１の厚さを１ｍｍ〜４ｍｍ程度とすることができる。
【００２５】
接合層２２，２４，３２，３４は、２つの部位を接合するための層であり、十分な接合強度が得られれば特に限定されない。例えば、粘着材を用いた粘着層や、接着材を用いた接着層を、接合層２２，２４，３２，３４として用いることができる。また、一以上の接合層２２，２４，３２，３４に、赤外線遮蔽機能、帯電防止機能等の種々の機能を付与してもよい。
【００２６】
第１偏光板２３および第２偏光板３３は、一方の直線偏光成分の光を高い透過率で透過させるとともに、一方の直線偏光成分と直交する方向に振動する他方の直線偏光成分の光を吸収する機能を有している。本実施の形態において、第１偏光板２３と第２偏光板３３とは、その吸収軸の向きが互いに非平行となっている。とりわけ図示された例では、第１偏光板２３および第２偏光板３３は、それぞれの吸収軸が互いに直交するようにして、すなわちクロスニコル状態で配置されている。より具体的には、この例において、第１偏光板２３の吸収軸は、上下方向に沿って延びて且つ水平方向に複数列で並んでいる。第２偏光板３３の吸収軸は、水平方向に沿って延びて且つ上下方向に複数列で並んでいる。
【００２７】
なお、これに限られず、第１偏光板２３および第２偏光板３３が、それぞれの吸収軸が互いに平行となるようにして、すなわちパラレルニコル状態で配置されていてもよい。第１偏光板２３および第２偏光板３３としては、例えば、ポリビニルアルコールにヨウ素や二色性色素を吸着させてなる広く普及した偏光板を用いることができる。また、第１偏光板２３の吸収軸および第２偏光板３３の吸収軸は、上下方向に対して傾斜した方向に延びて且つ当該傾斜した方向に直交する方向に複数列で並んでいてもよい。
【００２８】
第１光制御シート２５および第２光制御シート３５は、入射した光の偏光状態を制御するために設けられ、図２（Ａ）に示すように、第１光制御シート２５は、互いに異なる光学特性を有した第１領域Ｚ１および第２領域Ｚ２を含んでいる。第１光制御シート２５は、第１領域Ｚ１および第２領域Ｚ２において、入射した光の偏光状態を互いに異なる状態に制御する。とりわけ本実施の形態において、第１光制御シート２５は、パターニング位相差フィルム（以下、位相差フィルムと呼ぶ。）として形成され、第１領域Ｚ１と第２領域Ｚ２との間で、異なる位相変調を光に生じさせる。具体的には、第１領域Ｚ１および第２領域Ｚ２は共に、リタデーションがλ／４の位相差フィルムからなる。ただし、第１領域Ｚ１および第２領域Ｚ２は、遅相軸が互いに直交するようにして配置されている。したがって、第１光制御シート２５は、第１領域Ｚ１を透過する光に対して「λ／４」の位相変調を引き起こし、第２領域Ｚ２を透過する光に対して「−λ／４」の位相変調を引き起こす。
【００２９】
一方で、第２光制御シート３５は、第１光制御シート２５と同様に構成され得る。すなわち、第２光制御シート３５は、互いに異なる光学特性を有した第３領域Ｚ３および第４領域Ｚ４を含んでいる。第２光制御シート３５は、第３領域Ｚ３および第４領域Ｚ４において、入射した光の偏光状態を互いに異なる状態に制御する。第２光制御シート３５も、位相差フィルムとして形成され、第３領域Ｚ３と第４領域Ｚ４との間で、異なる位相変調を光に生じさせる。具体的には、第３領域Ｚ３および第４領域Ｚ４は共に、リタデーションがλ／４の位相差フィルムからなる。ただし、第３領域Ｚ３および第４領域Ｚ４は、遅相軸が互いに直交するようにして配置されている。したがって、第２光制御シート３５は、第３領域Ｚ３を透過する光に対して「λ／４」の位相変調を引き起こし、第４領域Ｚ４を透過する光に対して「−λ／４」の位相変調を引き起こす。
【００３０】
また図２（Ａ）に示すように、第１光制御シート２５の第１領域Ｚ１および第２領域Ｚ２は、第１方向ｄａに交互に隙間なく配置され、第１方向ｄａに沿って同一な幅Ｗを有している。したがって、第１領域Ｚ１および第２領域Ｚ２は、各領域の幅の２倍「Ｗ×２」となる一定ピッチでそれぞれ第１方向ｄａに配列されている。同様に、第２光制御シート３５の第３領域Ｚ３および第４領域Ｚ４は、第１方向ｄａに交互に隙間なく配置され、第１方向ｄａに沿って同一な幅Ｗを有している。第３領域Ｚ３および第４領域Ｚ４も、各領域の幅の２倍「Ｗ×２」となる一定ピッチでそれぞれ第１方向ｄａに配列されている。したがって、第１光制御シート２５および第２光制御シート３５を第１方向ｄａに相対移動させることにより、第１領域Ｚ１と第３領域Ｚ３とが対面し且つ第２領域Ｚ２と第４領域Ｚ４とが対面する図３の状態と、第１領域Ｚ１と第４領域Ｚ４とが対面し且つ第２領域Ｚ２と第３領域Ｚ３とが対面する図４の状態との間で状態を切り替えることができる。
【００３１】
図３に示すように、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面する場合、第１偏光板２３を透過した一方の直線偏光成分の光は、第１光制御シート２５および第２光制御シート３５の両方を透過した後に、振動方向を９０度回転させる。したがって、第１光制御シート２５および第２光制御シート３５の両方を透過した光は、一方の直線偏光成分とは振動方向が直交する他方の直線偏光成分の光となっており、図３に示すように、第２偏光板３３を透過することができる。
【００３２】
一方、図３の状態から、第１調光制御パネル２０および第２調光制御パネル３０が、各領域Ｚ１〜Ｚ４の幅Ｗだけ、第１方向ｄａに相対移動すると、図４に示すように、第１光制御シート２５の第１領域Ｚ１と第２光制御シート３５の第４領域Ｚ４とが対面し、第１光制御シート２５の第２領域Ｚ２と第２光制御シート３５の第３領域Ｚ３とが対面する。この状態において、第１偏光板２３を透過した一方の直線偏光成分の光は、第１光制御シート２５および第２光制御シート３５の両方を透過した後に、振動方向を維持する。したがって、第１光制御シート２５および第２光制御シート３５の両方を透過した光は、一方の直線偏光成分の光のままであり、第２偏光板３３で吸収され、図４に示すように、第２偏光板３３を透過することはできない。このような第１光制御シート２５および第２光制御シート３５は、例えば国際公開第２０１３−０５４６７３号、特開２０１２−１３７７２５号公報または特開２０１２−１９８５２２号公報等に開示されたパターン位相差フィルムとして作製され得る。なお、図３および図４では、接合層２２，２４，３２，３４は図示を省略している。
【００３３】
調光装置１０Ａは、上述の構成により、第１調光パネル２０および第２調光パネル３０の相対位置に応じて第１調光パネル２０および第２調光パネル３０を透過する光の透過率を変更可能となる。本実施の形態においては、調光装置１０Ａと調光装置１０Ｂとが同一の構造であるため、調光装置１０Ｂの説明は省略する。また以降の説明および各図面においては、調光装置１０Ｂの各構成要素のうち調光装置１０Ａで説明した構成要素と同一の構成要素に、調光装置１０Ａの各構成要素に付した符号と同一の符号を付している。なお、本実施の形態では、調光装置１０Ａと調光装置１０Ｂとが同一の構造であるが、これらの構造は相違していてもよい。例えば、調光装置１０Ａの第２偏光板３３の吸収軸が水平方向に沿って延びて且つ上下方向に複数列で並ぶ一方で、調光装置１０Ｂの第２偏光板３３の吸収軸が上下方向に対して傾斜した方向に延びて且つ当該傾斜した方向に直交する方向に複数列で並んでいてもよい。
【００３４】
また、調光装置１０Ａ，１０Ｂの各々においては、それぞれが有する２つの偏光板２３，３３のうちの少なくとも一方の吸収軸の方向を示す表示が設けられていることが好ましい。具体的に、本実施の形態では、図２（Ｂ）に示すように、調光装置１０Ａ，１０Ｂの各々における一部に偏光板２３，３３の吸収軸の方向を示す表示４０が設けられている。図２（Ｂ）では、一例として、調光装置１０Ａの第１調光パネル２０の第１透明支持板２１の表面に第１偏光板２３の吸収軸を示す表示４０が設けられた状態を示している。なお、本実施の形態では、図示省略するが、調光装置１０Ａの第２偏光板３３の吸収軸の方向を示す表示および調光装置１０Ｂの各偏光板２３，３３の吸収軸の方向を示す各表示も、適所に設けられている。
【００３５】
本実施の形態に係る調光システム１は、上述の構成を有する調光装置１０Ａ，１０Ｂを空間Ｓにおいて互いに離間する状態に配置することで構成されている。ここで、本実施の形態においては、図５及び図６に示すように、隣接する２つの調光装置１０Ａ，１０Ｂでなる組み合わせにおける一方の調光装置１０Ａの２つの調光パネル（第１調光パネル２０，第２調光パネル３０）と、他方の調光装置１０Ｂの２つの調光パネル（第１調光パネル２０，第２調光パネル３０）とが、一方の調光装置１０Ａの２つの調光パネル（第１調光パネル２０，第２調光パネル３０）および他方の調光装置１０Ｂの２つの調光パネル（第１調光パネル２０，第２調光パネル３０）の各々を横切る直線によって結ばれるように、調光装置１０Ａと調光装置１０Ｂとが配置されている。
【００３６】
上述の横切る直線とは、一の調光装置の２つの調光パネルの横断面における対角線の交点から延びた際に、図６に示される範囲ＮＣ１および範囲ＮＣ２に含まれない直線を意味する。上述の横断面は、一の調光装置の２つの調光パネルのパネル面の方向で対向する端部間を通るように、当該２つの調光パネルを切断した際の断面を意味する。つまり、この横切る直線は、調光装置１０Ａの２つの調光パネルのそれぞれの外側を向く２つのパネル面、および、調光装置１０Ｂの２つの調光パネルのそれぞれの外側を向く２つのパネル面を通過する直線を意味する。そのため、本実施の形態では、例えば、各調光装置１０Ａ，１０Ｂのパネル面の法線方向に沿う直線Ｈや、直線Ｈに対して傾斜し、且つ調光装置１０Ａの２つの調光パネルのそれぞれの外側を向く２つのパネル面、および、調光装置１０Ｂの２つの調光パネルのそれぞれの外側を向く２つのパネル面を通過する直線Ｌ１等の複数の直線によって、調光装置１０Ａの第１調光パネル２０および第２調光パネル３０と、調光装置１０Ｂの第１調光パネル２０および第２調光パネル３０とが結ばれるように、調光装置１０Ａと調光装置１０Ｂとが配置されていることになる。また本実施の形態では、調光装置１０Ａの第１調光パネル２０および第２調光パネル３０の各パネル面と、調光装置１０Ｂの第１調光パネル２０および第２調光パネル３０の各パネル面とは、互いに平行とされている。
【００３７】
また、この状態において、本実施の形態では、調光装置１０Ａおよび調光装置１０Ｂにおける例えば上述の直線Ｈ上で互い向き合う偏光板のそれぞれを、直線Ｈに沿って当該直線Ｈに垂直な面Ｐ上に投影した際、上述の互い向き合う偏光板の一方の吸収軸と他方の吸収軸とのなす角度が４５度未満となるに、調光装置１０Ａと調光装置１０Ｂとが配置されている。具体的に、本実施の形態では、図５および図６に示すように、調光装置１０Ａにおける第２偏光板３３と調光装置１０Ｂにおける第２偏光板３３とが、直線Ｈ上で向き合っているため、これら第２偏光板３３を垂直な面Ｐ上に投影した際には、調光装置１０Ａにおける第２偏光板３３の吸収軸と調光装置１０Ｂにおける第２偏光板３３の吸収軸とは、平行状態となる。そのため、これら吸収軸のなす角度は、実質的に０度となっている。なお、調光装置１０Ａおよび調光装置１０Ｂにおける上述の直線Ｌ１上で互い向き合う偏光板のそれぞれを、直線Ｌ１に沿って当該直線Ｌ１に垂直な面上に投影した際においても、上述の互い向き合う偏光板の一方の吸収軸と他方の吸収軸とのなす角度は、本例では、実質的に０度となる。
【００３８】
次に本実施の形態の作用について説明する。
【００３９】
本実施の形態に係る調光システム１を構成する際には、まず、上述した複数の調光装置１０Ａ，１０Ｂが準備され、これら複数の調光装置１０Ａ，１０Ｂが互いに離間する状態に配置される。この際、上述したように、一方の調光装置１０Ａの第１調光パネル２０および第２調光パネル３０と、他方の調光装置１０Ｂの第１調光パネル２０および第２調光パネル３０とが、一方の調光装置１０Ａの２つの調光パネル（２０，３０）の外側を向く２つのパネル面および他方の調光装置１０Ｂの２つの調光パネル（２０，３０）の外側を向く２つのパネル面の各々を横切る直線によって結ばれるように、調光装置１０Ａと調光装置１０Ｂとが配置される。
【００４０】
さらに、本実施の形態では、調光装置１０Ａおよび調光装置１０Ｂにおける上述の直線Ｈ上で互い向き合う偏光板のそれぞれを、直線Ｈに沿って当該直線Ｈに垂直な面Ｐ上に投影した際、互い向き合う偏光板の一方の吸収軸と他方の吸収軸とのなす角度が４５度未満となるように、調光装置１０Ａと調光装置１０Ｂとが配置される。ここで、本実施の形態では、調光装置１０Ａの第２偏光板３３と調光装置１０Ｂの第２偏光板３３とが、直線Ｈ上で向き合うため、調光装置１０Ａの第２偏光板３３の吸収軸と調光装置１０Ｂの第２偏光板３３の吸収軸とのなす角度は実質的に０度となる。
【００４１】
この設置状態において、図５に示すように、例えば調光装置１０Ａでは、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面する一方、調光装置１０Ｂでは、第１光制御シート２５の第１領域Ｚ１と第２光制御シート３５の第４領域Ｚ４とが対面し、第１光制御シート２５の第２領域Ｚ２と第２光制御シート３５の第３領域Ｚ３とが対面したとする。この際には、調光装置１０Ａの第１偏光板２３を透過した一方の直線偏光成分の光は、第１光制御シート２５および第２光制御シート３５の両方を透過した後に振動方向を９０度回転させるので、第１光制御シート２５および第２光制御シート３５の両方を透過した光は、一方の直線偏光成分とは振動方向が直交する他方の直線偏光成分の光となっており、第２偏光板３３を透過する。
【００４２】
そして調光装置１０Ａの第２偏光板３３を透過した光は、調光装置１０Ｂの第２偏光板３３に入射し、ここで、調光装置１０Ａの第２偏光板３３の吸収軸と調光装置１０Ｂの第２偏光板３３の吸収軸とのなす角度は実質的に０度となっているので、当該光は、調光装置１０Ｂの第２偏光板３３の吸収軸に吸収されることなく透過する。しかしながら、調光装置１０Ｂの第２偏光板３３を透過した光は、その後、第２光制御シート３５および第１光制御シート２５の両方を透過した後に、振動方向を維持するので、第２光制御シート３５および第１光制御シート２５の両方を透過した光は、他方の直線偏光成分の光のままであり、第１偏光板２３で吸収され、第１偏光板２３を透過することはできない。そのため、領域Ａ１から調光装置１０Ａを透過した光は、領域Ａ２では視認できるものの、領域Ａ３では視認できない状態となる。
【００４３】
一方、図６に示すように、調光装置１０Ａにおいて、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面する一方、調光装置１０Ｂにおいても、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面したとする。この際には、調光装置１０Ａの第１偏光板２３を透過した一方の直線偏光成分の光は、第１光制御シート２５および第２光制御シート３５の両方を透過した後に振動方向を９０度回転させるので、第１光制御シート２５および第２光制御シート３５の両方を透過した光は、一方の直線偏光成分とは振動方向が直交する他方の直線偏光成分の光となっており、第２偏光板３３を透過する。
【００４４】
そして調光装置１０Ａの第２偏光板３３を透過した光は、調光装置１０Ｂの第２偏光板３３に入射し、ここで、調光装置１０Ａの第２偏光板３３の吸収軸と調光装置１０Ｂの第２偏光板３３の吸収軸とのなす角度は実質的に０度となっているので、当該光は、調光装置１０Ｂの第２偏光板３３の吸収軸に吸収されることなく透過する。そして調光装置１０Ｂの第２偏光板３３を透過した光は、その後、第２光制御シート３５および第１光制御シート２５の両方を透過した後に、振動方向を９０度回転させるので、第２光制御シート３５および第１光制御シート２５の両方を透過した光は、一方の直線偏光成分の光となるので、第１偏光板２３で吸収されることなく第１偏光板２３を透過することができる。そのため、領域Ａ１から調光装置１０Ａを透過した光は、領域Ａ２でも視認でき、領域Ａ３でも視認できるようになる。これにより、領域Ａ３から調光装置１０Ｂを介して領域Ａ２が視認可能となり、領域Ａ３から調光装置１０Ｂおよび調光装置１０Ａを介して領域Ａ１も視認可能となることで、調光装置１０Ａ，１０Ｂによって区画された空間Ｓ全体に開放感を付与できるようになる。
【００４５】
よって、本実施の形態によれば、複数の調光装置１０Ａ，１０Ｂによって空間Ｓが区画された場合であって、複数の調光装置１０Ａ，１０Ｂが配置される空間Ｓ全体に充分な開放感を選択的に付与でき、調光装置１０Ａ，１０Ｂによって空間Ｓの開放感が損なわれることを抑制することができる。
【００４６】
なお、このような本実施の形態に対する比較として、例えば、上述の調光装置１０Ａおよび調光装置１０Ｂにおける上述の直線Ｈ上で互い向き合う偏光板のそれぞれを、直線Ｈに沿って当該直線Ｈに垂直な面Ｐ上に投影した際、互い向き合う偏光板の一方の吸収軸と他方の吸収軸とのなす角度が４５度以上となるように、調光装置１０Ａと調光装置１０Ｂとが配置されたとする。具体的には、調光装置１０Ａの第２偏光板３３と、調光装置１０Ｂの第１偏光板２３とが直線Ｈに沿って互いに向き合っており、これら第２偏光板３３および第１偏光板２３のそれぞれを垂直な面Ｐ上に投影した際に各吸収軸が９０度の角度をなしたとする。この場合には、調光装置１０Ｂに向けて調光装置１０Ａを透過した光は、調光装置１０Ｂの状態によらず、調光装置１０Ｂの第２変更板３３の吸収軸によって吸収されることになるので、領域Ａ１から調光装置１０Ａを透過した光は、領域Ａ２では視認できるものの、調光装置１０Ｂの状態によらず領域Ａ３では視認できない。したがって、この比較に係る構成では、本実施の形態のように、空間Ｓ全体に充分な開放感を選択的に付与することができない。
【００４７】
また、本実施の形態では、調光装置１０Ａおよび調光装置１０Ｂにおける例えば上述の直線Ｈ上で互い向き合う偏光板のそれぞれを、直線Ｈに沿って当該直線Ｈに垂直な面Ｐ上に投影した際、上述の互い向き合う偏光板の一方の吸収軸と他方の吸収軸とのなす角度が５度未満、具体的に実質的に０度となるように、調光装置１０Ａおよび調光装置１０Ｂが配置されている。そのため、例えば調光装置１０Ａの第２偏光板３３を透過した光は、調光装置１０Ｂの第２偏光板３３の吸収軸にほぼ吸収されることなく調光装置１０Ｂの第２偏光板３３を透過できるため、領域Ａ３から領域Ａ１又は領域Ａ１から領域Ａ３への視認性を良好に確保でき、開放感を効果的に付与できる。なお、上述の一方の吸収軸と他方の吸収軸とのなす角度は４５度未満であれば、例えば調光装置１０Ａの第２偏光板３３を透過した光が、調光装置１０Ｂの第２偏光板３３の吸収軸に比較的吸収されることなく調光装置１０Ｂの第２偏光板３３を透過できるため、領域Ａ３から領域Ａ１又は領域Ａ１から領域Ａ３への視認性を良好に確保できる。一方で、上述の一方の吸収軸と他方の吸収軸とのなす角度が４５度以上となる場合には、例えば調光装置１０Ａの第２偏光板３３を透過した光が、調光装置１０Ｂの第２偏光板３３の吸収軸に比較的吸収されるため、視認性を確保し難くなる。よって、上述の一方の吸収軸と他方の吸収軸とのなす角度は４５度未満が好ましく、例えば５度未満がより好ましく、０度であることがさらに好ましい。
【００４８】
また、本実施の形態では、調光装置１０Ａ，１０Ｂに、２つの偏光板２３，３３のうちの少なくとも一方の吸収軸の方向を示す表示４０が設けられている。これにより、調光装置１０Ａ，１０Ｂを容易に所望の状態に配置することが可能となり、設置作業の効率を向上できる。
【００４９】
以上、本発明の一実施の形態を説明したが、本発明は、上述の実施の形態に限定されることなく種々の変更を加えることが可能である。
【００５０】
例えば、上述の実施の形態では、空間Ｓが２つの調光装置１０Ａ，１０Ｂによって領域Ａ１〜Ａ３に区画されているが、これに限られるものではない。例えば、図７に示すように、空間Ｓが３つの調光装置１０Ａ，１０Ｂ，１０Ｃによって領域Ａ１〜Ａ４に区画されてもよい。ここで、調光装置１０Ｂ，１０Ｃは、上述の実施の形態における調光装置１０Ａ，１０Ｂと同様の配置構成で配置されることが好ましい。
【００５１】
また、上述の実施の形態では、調光装置１０Ａの第１調光パネル２０および第２調光パネル３０の各パネル面と、調光装置１０Ｂの第１調光パネル２０および第２調光パネル３０の各パネル面とが、互いに平行とされているが、これに限られるものではない。例えば、図８に示すように、調光装置１０Ａの第１調光パネル２０および第２調光パネル３０の各パネル面と、調光装置１０Ｂの第１調光パネル２０および第２調光パネル３０の各パネル面とが、非平行の状態とされていてもよい。但し、この場合にあっても、図８に示すように、調光装置１０Ａの２つの調光パネル（第１調光パネル２０，第２調光パネル３０）と、他方の調光装置１０Ｂの２つの調光パネル（第１調光パネル２０，第２調光パネル３０）とが、一方の調光装置１０Ａの２つの調光パネル（第１調光パネル２０，第２調光パネル３０）の外側を向く２つのパネル面および他方の調光装置１０Ｂの２つの調光パネル（第１調光パネル２０，第２調光パネル３０）の外側を向く２つのパネル面の各々を横切る、例えば直線Ｌ２によって結ばれるように、調光装置１０Ａと調光装置１０Ｂとが配置されていることを要する。
【００５２】
また、調光装置１０Ａの２つの調光パネルと他方の調光装置１０Ｂの２つの調光パネルとが、一方の調光装置１０Ａの２つの調光パネルおよび他方の調光装置１０Ｂの２つの調光パネルの各々を横切る直線によって結ばれるように、調光装置１０Ａと調光装置１０Ｂとが配置されるのであれば、調光装置１０Ａの第１調光パネル２０および第２調光パネル３０の各パネル面と、調光装置１０Ｂの第１調光パネル２０および第２調光パネル３０の各パネル面とは、同一の方向に沿っていなくてもよい。
【００５３】
また、上述の実施の形態では、調光装置１０Ａ，１０Ｂが建造物内部の床面に立設されるパーテーションとして機能する例を説明したが、これに限られるものではない。例えば、図９に示すように、調光装置１０Ａ，１０Ｂが建造物内部において斜め上方の方向に並んで設けられ、それぞれが採光窓として機能してもよい。
【符号の説明】
【００５４】
１  調光システム
１０Ａ，１０Ｂ  調光装置
２０  第１調光パネル
２１  第１透明支持板
２２  接合層
２３  第１偏光板
２４  接合層
２５  第１光制御シート
３０  第２調光パネル
３１  第２透明支持板
３２  接合層
３３  第２偏光板
３４  接合層
３５  第２光制御シート
４０  表示
Ｚ１  第１領域
Ｚ２  第２領域
Ｚ３  第３領域
Ｚ４  第４領域
Ｓ  空間
Ａ１〜Ａ３  領域
【図１】
2017102296.tif 000003
【図２】
2017102296.tif 000004
【図３】
2017102296.tif 000005
【図４】
2017102296.tif 000006
【図５】
2017102296.tif 000007
【図６】
2017102296.tif 000008
【図７】
2017102296.tif 000009
【図８】
2017102296.tif 000010
【図９】
2017102296.tif 000011